(57)【要約】【課題】運搬容易性に優れた床の間ユニットを提供する。【解決手段】本考案の床の間ユニット１は、上下方向において間隔を空けて設けられる下枠１０Ａおよび上枠１０Ｂと、下枠１０Ａと上枠１０Ｂとを接続する複数の柱２０Ａ〜２０Ｄと、下枠１０Ａに設けられる床材３１Ａ，３１Ｂとを備える。下枠１０Ａおよび上枠１０Ｂは、それぞれ、枠形状を形成する複数の横架材１１〜１４により構成され、複数の柱２０Ａ〜２０Ｄおよび複数の横架材１１〜１４のうち互いに接続される各材の全部または一部は、着脱可能に構成されている。【選択図】図１
0003205148.tif 000002
【実用新案登録請求の範囲】
【請求項１】
上下方向において間隔を空けて設けられる下枠および上枠と、
前記下枠と前記上枠とを接続する複数の柱と、
前記下枠に設けられる床材とを備える床の間ユニットであって、
前記下枠および前記上枠が、それぞれ、枠形状を形成する複数の横架材により構成され、
複数の前記柱および複数の前記横架材のうち互いに接続される前記各材の全部または一部が、着脱可能に構成されている
ことを特徴とする床の間ユニット。
【請求項２】
複数の前記柱の各々が２つ以上に分離可能に構成されている
ことを特徴とする請求項１に記載の床の間ユニット。
【請求項３】
複数の前記柱の各々が、前記下枠に接続される下柱材と、前記上枠に接続される上柱材と、前記下柱材と前記上柱材との間に設けられる中間柱材とにより構成され、
前記下枠と前記上柱材とが一体に構成されるとともに、前記上枠および前記上柱材が一体に構成されている
ことを特徴とする請求項１または２に記載の床の間ユニット。
【請求項４】
前記下枠に接続されるとともに前記床材を下方から支持する床支持材を備え、
前記床支持材は、前記下枠に対して着脱可能に構成されている
ことを特徴とする請求項１〜３のいずれか一項に記載の床の間ユニット。
【請求項５】
前記上枠に接続される梁材と、
前記梁材に接続されて当該梁材から吊り下げられる吊下材と、
前記吊下材に接続されて前記床材の上方に配置される棚材とを備え、
前記梁材は、前記上枠に対して着脱可能に構成されるとともに、前記吊下材は、前記梁材および前記棚材に対して着脱可能に構成されている
ことを特徴とする請求項１〜４のいずれか一項に記載の床の間ユニット。
【考案の詳細な説明】
【技術分野】
【０００１】
本考案は、例えば和室等の室内において任意の位置に床の間を設けることが可能な組立式の床の間ユニットに関するものである。
【背景技術】
【０００２】
室内に物品等を飾ることを目的として床の間を設けることが知られており、特許文献１には、室内に床の間を設けるための床の間ユニットが記載されている。特許文献１に記載の床の間ユニットは、床の間を造設する際の施工容易性を向上させる観点から開発されたものである。
【先行技術文献】
【特許文献】
【０００３】
【特許文献１】特開平７−１５０７５６号公報
【考案の概要】
【考案が解決しようとする課題】
【０００４】
しかしながら、特許文献１では、家具のように必要に応じて床の間ユニットの設置場所を変更することについて特に考慮されておらず、運搬容易性が優れたものではないという問題がある。
【０００５】
本考案は、上記事情に鑑みてなされたものであって、運搬容易性に優れた床の間ユニットを提供することを課題とする。
【課題を解決するための手段】
【０００６】
上記課題を解決するため、請求項１に記載の考案は、上下方向において間隔を空けて設けられる下枠および上枠と、前記下枠と前記上枠とを接続する複数の柱と、前記下枠に設けられる床材とを備える床の間ユニットであって、前記下枠および前記上枠が、それぞれ、枠形状を形成する複数の横架材により構成され、複数の前記柱および複数の前記横架材のうち互いに接続される前記各材の全部または一部が、着脱可能に構成されていることを特徴とする。
【０００７】
請求項２に記載の考案は、請求項１に記載の床の間ユニットにおいて、複数の前記柱の各々が２つ以上に分離可能に構成されていることを特徴とする。
【０００８】
請求項３に記載の考案は、請求項１または２に記載の床の間ユニットにおいて、複数の前記柱の各々が、前記下枠に接続される下柱材と、前記上枠に接続される上柱材と、前記下柱材と前記上柱材との間に設けられる中間柱材とにより構成され、前記下枠と前記上柱材とが一体に構成されるとともに、前記上枠および前記上柱材が一体に構成されていることを特徴とする。
【０００９】
請求項４に記載の考案は、請求項１〜３のいずれか一項に記載の床の間ユニットにおいて、前記下枠に接続されるとともに前記床材を下方から支持する床支持材を備え、前記床支持材は、前記下枠に対して着脱可能に構成されていることを特徴とする。
【００１０】
請求項５に記載の考案は、請求項１〜４のいずれか一項に記載の床の間ユニットにおいて、前記上枠に接続される梁材と、前記梁材に接続されて当該梁材から吊り下げられる吊下材と、前記吊下材に接続されて前記床材の上方に配置される棚材とを備え、前記梁材は、前記上枠に対して着脱可能に構成されるとともに、前記吊下材は、前記梁材および前記棚材に対して着脱可能に構成されていることを特徴とする。
【考案の効果】
【００１１】
本考案によれば、運搬容易性に優れた床の間ユニットを提供することができる。
【図面の簡単な説明】
【００１２】
【図１】本考案の一実施形態に係る床の間ユニットの立体図である。
【図２】同実施形態に係る床の間ユニットの図であって、（Ａ）は正面図、（Ｂ）は右側面図、（Ｃ）は背面図、（Ｄ）は左側面図である。
【図３】同実施形態に係る床の間ユニットの図であって、（Ａ）は平面図、（Ｂ）は底面図、（Ｃ）は断面図である。
【図４】同実施形態に係る柱の断面図であって、（Ａ）は下柱材と中間柱材の接続構造を示す図、（Ｂ）は上柱材と中間柱材の接続構造を示す図である。
【図５】同実施形態に係る床の間ユニットが分解された状態を示す図であって、床の間ユニットを構成する各材の斜視図である。
【図６】同実施形態に係る床の間ユニットの運搬時の状態を示す斜視図である。
【考案を実施するための形態】
【００１３】
図面を参照しながら、本考案に係る組立式の床の間ユニット１の実施形態を説明する。図１は、組み立てられた状態の床の間ユニット１を示しており、床の間ユニット１が透視投影で描かれた中心投影図である。
【００１４】
図１に示すように、床の間ユニット１は、上下方向において間隔を空けて設けられる下枠１０Ａおよび上枠１０Ｂと、上下方向に延びることで下枠１０Ａと上枠１０Ｂとを接続する４本の柱２０Ａ〜２０Ｄと、下枠１０Ａに設けられる２枚の床材３１Ａ，３１Ｂとを備えている。
【００１５】
図２（Ａ）〜（Ｃ）および図３（Ａ），（Ｂ）は、床の間ユニット１が垂直投影で描かれた平行投影図であり、図３（Ｃ）は、図２のＡ−Ａ線断面図である。図中の矢印Ｘ，Ｙ，Ｚで示す前後方向、左右方向、および、上下方向は、互いに直交する方向である。なお、図面において、床の間ユニット１の細部の構造の図示は省略されている。
【００１６】
図２および図３に示すように、下枠１０Ａおよび上枠１０Ｂは、それぞれ、前後方向において間隔を空けて平行に設けられる前横架材１１および後横架材１２と、左右方向において間隔を空けて平行に設けられる右横架材１３および左横架材１４とを備えている。前横架材１１は、右横架材１３の前端部と左横架材１４の前端部とを接続し、後横架材１２は、右横架材１３の後端部と左横架材１４の後端部とを接続する。換言すると、右横架材１３は、前横架材１１の右端部と後横架材１２の右端部とを接続し、左横架材１４は、前横架材１１の左端部と後横架材１２の左端部とを接続する。以上のようにして接続される４本の横架材１１〜１４は、上方または下方から見て左右方向を長辺とする長方形の枠形状を形成する。
【００１７】
下枠１０Ａの右横架材１３および左横架材１４は、上枠１０Ｂの右横架材１３および左横架材１４に比べて、左右方向に大きい寸法を有しており、床材３１Ａ，３１Ｂを下方から支持する床支持材として機能する。下枠１０Ａの右横架材１３は、右床材３１Ａの右端部を支持し、下枠１０Ａの左横架材１４は、左床材３１Ｂの左端部を支持する。横架材１１〜１４は、ねじ等の固着具（図示略）により互いに接続され、その固着具を取り外すことで分離することできる。すなわち、横架材１１〜１４は着脱可能に構成されている。
【００１８】
柱２０Ａは、下枠１０Ａの右前端部と上枠１０Ｂの右前端部とを接続し、柱２０Ｂは、下枠１０Ａの左前端部と上枠１０Ｂの左前端部とを接続し、柱２０Ｃは、下枠１０Ａの右後端部と上枠１０Ｂの右後端部とを接続し、柱２０Ｄは、下枠１０Ａの左後端部と上枠１０Ｂの左後端部とを接続する。柱２０Ａ〜２０Ｄの各々は、３つに分離可能に構成されており、柱２０Ａ〜２０Ｄは、それぞれ、下枠１０Ａに接続される下柱材２１と、上枠１０Ｂに接続される上柱材２２と、下柱材２１と上柱材２２との間に設けられる中間柱材２３とにより構成されている。柱材２１〜２３の接続構造については後述する。
【００１９】
本実施形態では、下柱材２１および下枠１０Ａは一体として構成されている。具体的には、柱２０Ａ，２０Ｂの下柱材２１は、下枠１０Ａの前横架材１１と一体であって、下枠１０Ａの前横架材１１の右端部が、柱２０Ａの下柱材２１として形成され、下枠１０Ａの前横架材１１の左端部が、柱２０Ｂの下柱材２１として形成されている。また、柱２０Ｃ，２０Ｄの下柱材２１は、下枠１０Ａの後横架材１２と一体であって、下枠１０Ａの後横架材１２の右端部が、柱２０Ｃの下柱材２１として形成され、下枠１０Ａの後横架材１２の左端部が、柱２０Ｄの下柱材２１として形成されている。こうして、下枠１０Ａの横架材１１，１２と下柱材２１とは分離不可能に構成されている。
【００２０】
さらに、本実施形態では、上柱材２２および上枠１０Ｂは一体として構成されている。具体的には、柱２０Ａ，２０Ｂの上柱材２２は、上枠１０Ｂの前横架材１１と一体であって、上枠１０Ｂの前横架材１１の右端部が、柱２０Ａの上柱材２２として形成され、上枠１０Ｂの前横架材１１の左端部が、柱２０Ｂの上柱材２２として形成されている。また、柱２０Ｃ，２０Ｄの上柱材２２は、上枠１０Ｂの後横架材１２と一体であって、上枠１０Ｂの後横架材１２の右端部が、柱２０Ｃの上柱材２２として形成され、上枠１０Ｂの後横架材１２の左端部が、柱２０Ｄの上柱材２２として形成されている。こうして、上枠１０Ｂの横架材１１，１２と上柱材２２とは分離不可能に構成されている。
【００２１】
右床材３１Ａおよび左床材３１Ｂは、下枠１０Ａの前横架材１１と後横架材１２との間に設けられ、かつ、左右方向に並べて設けられる簡易畳である。具体的には、床材３１Ａ，３１Ｂは、芯材となる柔軟性を有する板状の合成樹脂材料（例えば発泡スチロール）と、い草が編み込まれて形成された畳表とを積層して構成された畳である。
【００２２】
また、床の間ユニット１は、下枠１０Ａに接続される床支持材４１と、柱２０Ａ〜２０Ｄに接続される横架材５１Ａ，５１Ｂと、上枠１０Ｂに接続される梁材６１と、梁材６１から吊り下げられる吊下材６２と、吊下材６２に接続される棚材６３と、上枠１０Ｂに設けられた鉤具７１とを備えている。
【００２３】
床支持材４１は、下枠１０Ａの前横架材１１と後横架材１２とを接続する横架材であって、床材３１Ａ，３１Ｂを下方から支持する。具体的には、床支持材４１は、右床材３１Ａの左端部を支持するとともに左床材３１Ｂの右端部を支持する。床支持材４１は、ねじ等の固着具（図示略）により下枠１０Ａの横架材１１，１２に接続され、その固着具を取り外すことで横架材１１，１２から分離することできる。すなわち、床支持材４１は、下枠１０Ａに対して着脱可能に構成されている。
【００２４】
横架材５１Ａは、柱２０Ａの下端部と柱２０Ｃの下端部とを接続し、横架材５１Ｂは、柱２０Ｂの下端部と柱２０Ｄの下端部とを接続する。横架材５１Ａ，５１Ｂは、それぞれ、ねじ等の固着具（図示略）により柱２０Ａ〜２０Ｄの下柱材２１に接続され、その固着具を取り外すことで下柱材２１から分離することができる。すなわち、横架材５１Ａ，５１Ｂは、柱２０Ａ〜２０Ｄに対して着脱可能に構成されている。
【００２５】
梁材６１は、上枠１０Ｂの前横架材１１と後横架材１２とを接続する横架材である。梁材６１は、吊下材６２を介して、棚材６３に作用する上下方向の荷重を受ける。梁材６１は、ねじ等の固着具（図示略）により上枠１０Ｂの横架材１１，１２に接続され、その固着具を取り外すことで横架材１１，１２から分離することができる。すなわち、梁材６１は、上枠１０Ｂに対して着脱可能に構成されている。
【００２６】
吊下材６２は、梁材６１と棚材６３の右端部とを接続する。吊下材６２の上端部は、ねじ等の固着具（図示略）により梁材６１に接続され、その固着具を取り外すことで梁材６１から分離することができる。また、吊下材６２の下端部は、ねじ等の固着具により棚材６３の左端部に接続され、その固着具を取り外すことで棚材６３から分離することができる。すなわち、吊下材６２は、梁材６１および棚材６３に対して着脱可能に構成されている。
【００２７】
棚材６３は、前横架材１１と後横架材１２との間に設けられ、床材３１Ｂの上方に配置される。棚材６３の左端部は、ねじ等の固着具（図示略）により柱２０Ｂ，２０Ｄに接続され、その固着具を取り外すことで柱２０Ｂ，２０Ｄから分離することができる。すなわち、棚材６３は、柱２０Ｂ，２０Ｄに対して着脱可能に構成されている。
【００２８】
鉤具７１は、上枠１０Ｂの後横架材１２に設けられ、掛け軸（図示略）等が引っ掛けられる鉤状のフックを有している。鉤具７１は、後横架材１２にねじ込まれる固着具と一体であって、後横架材１２から分離することができる。すなわち、鉤具７１は、上枠１０Ｂに対して着脱可能に構成されている。
【００２９】
以上の構成部品からなる床の間ユニット１は、主に木材により形成される。具体的には、例えば、枠１０Ａおよび上枠１０Ｂを構成する横架材１１〜１４、柱２０Ａ〜２０Ｄを構成する柱材２１〜２３、並びに、床支持材４１、横架材５１Ａ、並びに、梁材６１は、強度に優れた桧により形成される。また、例えば、吊下材６２は、竹により形成され、棚材６３は、桐により形成される。
【００３０】
図４は、柱２０Ａ〜２０Ｄにおける柱材２１〜２３の接続構造を示しており、図４（Ａ）は、下柱材２１と中間柱材２３との接続構造を示し、図４（Ｂ）は、上柱材２２と中間柱材２３との接続構造を示している。
【００３１】
図４（Ａ）に示すように、中間柱材２３の下端部には、めねじが形成されたナット８１が埋め込まれて設けられており、ナット８１の内周には、おねじが形成されたボルト８２の上端部が下方からねじ込まれる。ボルト８２は、下柱材２１に予め形成されている貫通孔に下方から挿し込まれ、下柱材２１を貫通した状態でナット８１にねじ込まれる。ボルト８２の下端部には、めねじが形成されたナット８３が設けられる。ナット８３は、下枠１０Ａに形成された窪みに設けられ、下柱材２１を中間柱材２３に対して締め付ける。こうして、下柱材２１と中間柱材２３とが接続され、中間柱材２３の下端と下柱材２１の上端とが突き合せられた状態が維持される。下柱材２１および中間柱材２３は、ナット８３をボルト８２から取り外して、ボルト８２をナット８１から抜くことで分離することできる。すなわち、下柱材２１および中間柱材２３は着脱可能に構成されている。
【００３２】
また、図４（Ｂ）に示すように、中間柱材２３の上端部には、めねじが形成されたナット９１が埋め込まれて設けられており、ナット９１の内周には、おねじが形成されたボルト９２の下端部が上方からねじ込まれる。ボルト９２は、上柱材２２に予め形成されている貫通孔に下方から挿し込まれ、上柱材２２を貫通した状態でナット９１にねじ込まれる。ボルト９２の上端部には、めねじが形成されたナット９３が設けられる。ナット９３は、上枠１０Ｂに形成された窪みに設けられ、上柱材２２を中間柱材２３に対して締め付ける。こうして、上柱材２２と中間柱材２３とが接続され、中間柱材２３の上端と上柱材２２の上端とが突き合せられた状態が維持される。上柱材２２および中間柱材２３は、ナット９３をボルト９２から取り外して、ボルト９２をナット９１から抜くことで分離することできる。すなわち、上柱材２２および中間柱材２３は着脱可能に構成されている。
【００３３】
図５は、分解された状態の床の間ユニット１を示しており、床の間ユニット１の構成部品が等軸測投影で描かれた平行投影図である。また、図６は、図５に示す床の間ユニット１の構成部品をまとめた状態の一例を示している。なお、床材３１Ａ，３１Ｂ、棚材６３、および、鉤具７１の図示は省略されている。
【００３４】
図６では、２本の前横架材１１の長手方向と２本の後横架材１２の長手方向とが揃うように、横架材１１，１２が重ねられている。また、図６では、４本の柱２０Ａ〜２０Ｄの中間柱材２３の長手方向が揃うように、中間柱材２３が重ねられており、横架材１１，１２と中間柱材２３とが平行に並べて設けられている。そして、図６では、横架材１１，１２の両端部に設けられる柱材２１，２２の間に、横架材１３，１４、床支持材４１、横架材５１Ａ，５１Ｂ、梁材６１、および、吊下材６２が設けられている。このようにまとめられた床の間ユニット１の構成部品は、図６中の幅Ｗおよび奥行きＤおよび高さＨの内寸を有する箱（図示略）に入れて持ち運ぶことができる。本実施形態では、幅Ｗを小さくするために、横架材１１，１２の長手方向の寸法と、柱２０Ａ〜２０Ｄの中間柱材２３の長手方向の寸法とが同じである。こうして、コンパクトな箱に床の間ユニット１の構成部品を収容することで、手荷物として航空機に持ち込むことができ、輸送費用を削減することができる。
【００３５】
本実施形態では以下の効果が得られる。
（１）複数の柱２０Ａ〜２０Ｄおよび複数の横架材１１〜１４のうち、互いに接続される横架材１１，１３、横架材１１，１４、横架材１２，１３、および、横架材１２，１４が着脱可能に構成されている。このため、横架材１１，１３、横架材１１，１４、横架材１２，１３、および、横架材１２，１４を接続して床の間ユニット１を組み立てることで、室内の任意の位置に床の間を設けることができ、横架材１１，１３、横架材１１，１４、横架材１２，１３、および、横架材１２，１４を、それぞれ分離することで、床の間ユニット１を分解することができる。こうして分解された床の間ユニット１は容易に持ち運ぶことができるため、運搬容易性に優れた床の間ユニット１を実現することができる。
【００３６】
（２）複数の柱２０Ａ〜２０Ｄの各々が３つ柱材２１〜２３に分離可能に構成されている。このため、柱２０Ａ〜２０Ｄの各々が分離不可能である場合に比べて、柱２０Ａ〜２０Ｄを容易に持ち運ぶことができ、床の間ユニット１の運搬容易性を向上することができる。
【００３７】
（３）下枠１０Ａと下柱材２１とが一体に構成されるとともに、上枠１０Ｂと上柱材２２とが一体に構成されている。このため、床の間ユニット１を構成する部品点数の増加を妨げることができる。
【００３８】
（４）床支持材４１は、下枠１０Ａに対して着脱可能に構成されている。このため、床支持材４１と下枠１０Ａとを分離することで、床の間ユニット１の運搬時において、床の間ユニット１の構成部品の取り扱い容易性を向上することができる。また、横架材５１Ａ，５１Ｂも、柱２０Ａ〜２０Ｄに対して着脱可能に構成されているため、同様の効果を得ることができる。
【００３９】
（５）梁材６１は、上枠１０Ｂに対して着脱可能に構成されるとともに、吊下材６２は、梁材６１および棚材６３に対して着脱可能に構成されている。このため、上枠１０Ｂと梁材６１とを分離し、梁材６１と吊下材６２と棚材６３とを分離することで、床の間ユニット１の運搬時において、棚材６３の取り扱い容易性を向上することができる。
【００４０】
本考案は、上記実施形態に限定されるものではなく、上記実施形態の構成を適宜変更することもできる。例えば、上記構成を以下のように変更して実施することもでき、以下の変更を組み合わせることもできる。
【００４１】
・上記実施形態では、床の間ユニット１は２枚の床材３１Ａ，３１Ｂを備えていたが、床の間ユニットが備える床材の数を変更してもよい。例えば、床の間ユニットが備える床材が１枚のみであってもよい。１枚の床材を下枠１０Ａに設ける構成では、床支持材４１を省略することができる。
【００４２】
・上記実施形態では、柱２０Ａ〜２０Ｄの各々が３つに分離可能に構成されていたが、２つまたは４つ以上に分離可能に構成することもできる。すなわち、柱２０Ａ〜２０Ｄの各々が２つ以上に分離可能に構成されていれば、上記（２）の効果を得ることができる。また、上記実施形態では、床の間ユニット１は４本の柱２０Ａ〜２０Ｄを備えていたが、上枠を支えることができるのであれば下枠と上枠とを接続する柱の数を変更してもよい。
【００４３】
・上記実施形態では、互いに接続される複数の横架材１１〜１４のみが着脱可能に構成されていたが、互いに接続される柱２０Ａ〜２０Ｄおよび横架材１１〜１４を着脱可能に構成してもよい。具体的には、下柱材２１を下枠１０Ａに対して着脱可能に構成してもよく、上柱材２２を上枠１０Ｂに対して着脱可能に構成してもよい。また、柱２０Ａ〜２０Ｄおよび横架材１１〜１４が着脱可能であるとき、互いに接続される横架材１１〜１４を着脱不可能に構成することもできる。すなわち、複数の柱および複数の横架材のうち互いに接続される各材の全部または一部が、着脱可能に構成されていれば、上記（１）の効果を得ることができる。
【００４４】
・上記実施形態では、床の間ユニット１は、主に木材により形成される。具体的には、例えば、枠１０Ａおよび上枠１０Ｂを構成する横架材１１〜１４、柱２０Ａ〜２０Ｄを構成する柱材２１〜２３、並びに、床支持材４１、横架材５１Ａ、並びに、梁材６１は、強度に優れた桧により形成される。また、吊下材６２は、竹により形成され、棚材６３は、杉により形成される。
【００４５】
・床の間ユニットの構成部品の接続構造は、上記実施形態で説明した接続構造に限られず、適宜変更してもよい。また、上記実施形態で参照した図面では、互いに突き合せられる下柱材２１の上端および中間柱材２３の下端は平坦に図示されているが、下柱材２１と中間柱材２３との接続を強固にするために、下柱材２１および中間柱材２３は目違い継ぎ等の継手構造を有していることが好ましい。同様の理由により、上柱材２２および中間柱材２３は目違い継ぎ等の継手構造を有していることが好ましい。
【００４６】
・床の間ユニットの構成部品は、上記実施形態で説明した材料に限られず、適宜変更してもよい。また、床の間ユニットの構成部品は、上記実施形態に限られず、例えば、床の間ユニットは、上枠に設けられる天井材（図示略）、柱２０Ｃ，２０Ｄ間の空間を覆うように設けられる背面壁材（図示略）、柱２０Ａ，２０Ｃ間の空間を覆うように設けられる右側面壁材（図示略）、柱２０Ｂ，２０Ｄ間の空間を覆うように設けられる左側面壁材（図示略）、床材３１Ａ，３１Ｂ上に設けられる書院棚ユニット（図示略）等を備えていてもよい。
【符号の説明】
【００４７】
１  床の間ユニット
１０Ａ  下枠
１０Ｂ  上枠
１１  前横架材（横架材）
１２  後横架材（横架材）
１３  右横架材（横架材）
１４  左横架材（横架材）
２０Ａ〜２０Ｄ  柱
２１  下柱材
２２  上柱材
２３  中間柱材
３１Ａ  左床材（床材）
３１Ｂ  右床材（床材）
４１  床支持材
５１Ａ，５１Ｂ  横架材
６１  梁材
６２  吊下材
６３  棚材
７１  鉤具
【図１】
0003205148.tif 000003
【図２】
0003205148.tif 000004
【図３】
0003205148.tif 000005
【図４】
0003205148.tif 000006
【図５】
0003205148.tif 000007
【図６】
0003205148.tif 000008